(57)【要約】【課題】  通常時は防災用品等を収納する倉庫として活用できると共に、非常時は防災用品等を搬出した後の空間を利用するに際し、利用者のプライバシーの保護を重視した防災用収納箱を提供すること。【解決手段】  前記防災用収納箱１は、簡易トイレ等の防災用品等を収納可能なユニットハウスのような建物であって、その内部は、図２のような倉庫空間１０とされる一方、折畳部材２により、少なくとも１つの独立した小部屋１１を区画可能な倉庫空間１０を備えている。【選択図】        図２
2010037850.tif 000002
【特許請求の範囲】
【請求項１】
防災用品等を収納可能な収納箱であって、
その内部は倉庫空間とされると共に、その倉庫空間から少なくとも１つの独立した小部屋を区画可能な倉庫空間を備えた防災用収納箱。
【請求項２】
防災用品等を収納可能な収納箱であって、
その内部は、通常時に倉庫空間とされ、非常時にその倉庫空間から少なくとも１つの独立した小部屋を区画可能な防災用収納箱。
【請求項３】
防災用品等を収納可能な収納箱であって、
その内部に、通常時には折畳まれて壁面を構成すると共に、
非常時には少なくとも一個の独立した小部屋を区画可能な折畳部材を備えたことを特徴とする防災用収納箱。
【請求項４】
防災用品等を収納可能な収納箱であって、
その内部に、通常時には折畳まれて壁面を構成し、且つ、非常時には収納箱の壁面と共に、少なくとも一個の独立した小部屋を区画可能な折畳部材を備えたことを特徴とする防災用収納箱。
【請求項５】
防災用品等を収納可能な収納箱であって、
その内部には、収納箱の壁面に折畳まれ、且つ、展開されて収納箱の壁面と共に少なくとも一個の独立した小部屋を区画可能な折畳部材を備えた防災用収納箱。
【請求項６】
前記折畳部材は収納箱の壁面を構成するパネル毎に配置可能なことを特徴とする請求項３乃至請求項５のいずれかに記載の防災用収納箱。
【請求項７】
防災用品等を収納可能な収納箱であって、
その内部に、非常時には収納箱の壁面と共に、展開される折畳部材にて、少なくとも一個の独立した小部屋を区画可能な防災用収納箱。
【請求項８】
前記小部屋は、収納箱の壁面に沿って櫛歯状に配置可能なことを特徴とする請求項１乃至請求項７のいずれかに記載の防災用収納箱。
【発明の詳細な説明】
【技術分野】
【０００１】
本発明は、防災用品等を備蓄することができる防災用収納箱に関する。
【背景技術】
【０００２】
過去の災害での経験に基づき、来るべき災害への備えのために、防災関連の各種発明が開示されている。
例えば、特許文献１では、天災時のための防災用品の収納を可能とした防災倉庫が開示されている。
かかる防災倉庫では、災害が起きた場合の防災用品の収納のみを想定したもので、防災用品を搬出した後の倉庫の利用については、なんら示唆するものはない。
【０００３】
一方、特許文献２は、緊急時の救護に適する大空間施設に関し、救護施設として建物を建築した場合にも、通常時は他の目的に使用することにより、その救護施設の有効利用を図って無駄を無くすことができる緊急時の救護に適する大空間施設を開示している。
このように施設では、大空間室の壁面に格納された救護設備を引き出することにより、負傷者への迅速な救護を行うことができ、救急救命に大いに寄与することができ、一方、災害の発生しない通常時は大空間室を集会所や体育施設として有効利用することができるとされている。
【特許文献１】特開平２００７−１２０１６０
【特許文献２】特開平２０００−２４８７６６
【発明の開示】
【発明が解決しようとする課題】
【０００４】
しかし、この施設では、非常時の使用態様が、壁面に格納された救護設備に限定されていて融通性に乏しいこと、またその救護施設では一部の救護設備を除き利用者のプライバシーの保護に欠けるという問題点を指摘することができる。
【０００５】
そこで、本願発明は、通常時は防災用品等を収納する建物として活用できると共に、非常時は防災用品等を搬出した後の空間を利用するに際し、その空間を多目的、多用途に利用でき、また利用者のプライバシーの保護を重視した防災用収納箱を提供することを目的とする。
【課題を解決するための手段】
【０００６】
上記課題を解決するため、本願発明は、防災用品等を収納可能な収納箱であって、その内部は倉庫空間とされると共に、その倉庫空間から少なくとも１つの独立した小部屋を区画可能な倉庫空間を備えた防災用収納箱とした（請求項１の発明）。
【０００７】
上記課題を解決するため、本願発明は、防災用品等を収納可能な収納箱であって、その内部は、通常時に倉庫空間とされ、非常時にその倉庫空間から少なくとも１つの独立した小部屋を区画可能な防災用収納箱とした（請求項２の発明）。
【０００８】
上記課題を解決するため、本願発明は、防災用品等を収納可能な収納箱であって、その内部に、通常時には折畳まれて壁面を構成すると共に、非常時には少なくとも一個の独立した小部屋を区画可能な折畳部材を備えたことを特徴とする防災用収納箱とした（請求項３の発明）。
【０００９】
上記課題を解決するため、本願発明は、防災用品等を収納可能な収納箱であって、その内部に、通常時には折畳まれて壁面を構成し、且つ、非常時には収納箱の壁面と共に、少なくとも一個の独立した小部屋を区画可能な折畳部材を備えたことを特徴とする防災用収納箱とした（請求項４の発明）。
【００１０】
上記課題を解決するため、本願発明は、防災用品等を収納可能な収納箱であって、その内部には、収納箱の壁面に折畳まれ、且つ、展開されて収納箱の壁面と共に少なくとも一個の独立した小部屋を区画可能な折畳部材を備えた防災用収納箱とした（請求項５の発明）。
【００１１】
上記各発明において前記折畳部材は収納箱の壁面を構成するパネル毎に配置可能なことを特徴とする防災用収納箱とした（請求項６の発明）。
【００１２】
上記課題を解決するため、防災用品等を収納可能な収納箱であって、その内部に、非常時には収納箱の壁面と共に、展開される折畳部材にて、少なくとも一個の独立した小部屋を区画可能な防災用収納箱とした（請求項７の発明）。
【００１３】
上記各発明において前記小部屋は、収納箱の壁面に沿って櫛歯状に配置可能なことを特徴とする防災用収納箱とした（請求項８の発明）。
【発明の効果】
【００１４】
本発明によれば、防災用品等を収納可能な建物の空間を、非常時の際には自由に区画できて、各区画による小部屋を各種用途に応じて使用できる、また、プライバシーを確保できる防災用収納箱を提用することが可能となる。
【発明を実施するための最良の形態】
【００１５】
本発明に係る防災用収納箱の実施形態を図面に基いて説明する。
図１は実施形態に係る防災用収納箱の外観図、図２及び図３は同防災用収納箱の各水平断面図であって、図２は通常時の収納箱の内部を、図３は非常時の収納箱の内部の一例を図示している。
図４〜図７は、実施形態に係る防災用収納箱の各水平断面図であって、それぞれ非常時のものを例示すると共に、図５〜図７は、図１乃至図３の収納箱に対し、それぞれ長手方向の幅を広げた防災用収納箱を図示している。
これらの各図及び後述の各図において、同一の構成は同一の符号を付して重複した説明を省略する。
【００１６】
前記防災用収納箱１は、防災用品等（図示せず）を収納可能な建物であって、その内部は、図２のような倉庫空間１０とされる一方、図３のように倉庫空間１０内において少なくとも１つの独立した小部屋１１を区画可能な、また図４〜図７のように複数の小部屋１１を区画可能な建物となっている。
【００１７】
前記防災用品は、例えば、炊飯用具、飲料水、保存食料、燃料、ストーブ、簡易トイレ、シート、毛布等の防寒品、ポリタンク、発電機、救急用品等であって、災害時に罹災者の生活に必要な物である。
その他、前記収納箱１の設置場所に応じて、収納対象は変わってくる。例えば、設置場所が公園内であれば、公園の管理に必要な物品が含まれる。また、設置場所が公的な会館等であれば、会館の器具備品等が含まれる。
【００１８】
前記収納箱１は、主として動産的に組立可能なもの、移築可能なものであって、例えばユニットハウス、仮設ハウス、倉庫、多目的ハウス等と称され、物を収納できる建物である。また、ユニット建物のように、規格化され、連設されるようなものも含まれる。
【００１９】
前記収納箱１の内部は、外壁１２、屋根１３、床１４によって囲まれた空間であって、概ね１つの空間を指し、かかる空間が防災用品等を収納可能な倉庫空間１０となっている。
その他、前記収納箱１の使用目的に応じて、倉庫空間１０の他に、居住用の空間や事務所用の空間等を設けてもよく、その場合には居住空間等の中に独立する小部屋１１を区画可能に構成してもよい。
なお収納箱１には建物内部への出入り口となるドア１６等が設けられている。  
【００２０】
前記独立した小部屋１１は、前記倉庫空間１０等において、利用者のプライバシーの保護を確保することができる空間であって、例えば、前記倉庫空間１０等の中において、平均的な身長の大人が隠れる程度に、左右前後の四辺が面材等で区画される空間から構成されている。
【００２１】
前記倉庫空間１０は、地震等の災害時以外の通常時には、防災用品等の物を収容しており、地震等の災害発生の非常時には防災用品等が搬出された後に前記小部屋１１が区画される。
【００２２】
以上のように構成された防災用収納箱１においては、前記小部屋１１は、例えば簡易トイレをセットすることでトイレスペースに使用でき、また女性用のフィッテングスペースに使用する等、プライバシーを重視しつつ、その使用目的は、用途に応じて自由に設定できる。
【００２３】
前記収納箱１の内部には、図２に示したように通常時には折畳まれて収納箱１の壁面１５と一体となると共に、図３に示したように非常時には少なくとも一個の独立した小部屋１１を区画可能な折畳部材２が備えられている。
前記折畳部材２は、折畳まれた状態では、収納箱１の壁面１５と一体となることで、倉庫空間１０内に防災用品等が収納可能なように空間の最大化が図られている。一方、非常時においては、利用者のプライバシーの保護を確保できるように、左右前後の四辺が区画される空間を形成できるようになっている。
【００２４】
前記小部屋１１を区画する場合に、折畳部材２のみから四周を形成してもよいが、収納箱１の壁面１５を四周の内の１面とするように構成することで折畳部材２の部品点数を減らすことができる。
【００２５】
前記折畳部材２は、壁面１５に折畳まれた状態から、特別な冶具を用いることなく、また他の構成部材を付加させることなく、折畳部材２のみを展開させることで組立可能となっている。即ち、前記折畳部材２は、壁面１５に折畳まれた状態から、展開されて収納箱１の壁面１５とともに小部屋１１を形成可能なようなっている。
【００２６】
前記収納箱１の外壁１２が複数枚のパネル材により構成されている場合には、パネル材毎に前記折畳部材２を配置可能なように構成してもよい。
前記収納箱１が設置場所において組立てられるノックダウン方式の場合にも、前記折畳部材２を配置することができる。
【００２７】
前記折畳部材２は、予め収納箱１の壁面１５に取付けたものでもよいが、例えば収納箱１の内部に折畳部材を収納しておいて、非常時の際に壁面１５に取付けるように、後付けにしてもよい、
【００２８】
以上のように構成される小部屋１１は、各部屋が隣接せずに、図４〜図７に示したように、収納箱１の壁面１５に沿って櫛歯状に配置可能とされている。
よって、各部屋１１、１１・・・の独立性が高いと共に、その設置個数や設置場所も任意に選択できるようになっている。例えば、収納箱１の中央領域のみ、左右の端部のみの如くである。
【００２９】
次に、前記折畳部材２の構成例を図８乃至図１１に基づいて、より詳細に説明する。
図８は、折畳部材２の折畳状態及び展開状態を示す水平断面図、図９及び図１０は折畳部材２の折畳状態及び展開状態を示す縦断面図、図１１は図８に示したＡ−Ａ矢視断面図である。
前記折畳部材２は、図８乃至図１０に示したように、第１の折畳面材２０と、第２の折畳面材２１と、上部支持材２２と下部支持材２３からなる。
第１の折畳面材２０は、第１段面材２０ａ、第２段面材２０ｂ、扉面材２０ｃ及びドア面材２０ｄからなり、第２の折畳面材２１は第３段面材２１ａと第４段面材２１ｂと袖壁面材２１ｃからなる。
【００３０】
前記第１段面材２０ａは、図８及び図８Ａのように収納箱１の壁面１５に対してヒンジ部３ａを介し、第２段面材２０ｂは図８及び図８Ｂのようにヒンジ部３ｂを介し、扉面材２０ｃは図８及び図８Ｃのようにヒンジ部３ｃを介し、それぞれ水平方向に折畳自在、且つ、展開自在に接続されている。
第３段面材２１ａは図８及び図８Ａのように収納箱１の壁面１５に対してヒンジ部４ａを介し、第４段面材２１ｂは図８のようにヒンジ部４ｂを介し、袖壁面材２１ｃは図８及び図８Ａのようにヒンジ部４ｃを介し、それぞれ水平方向に折畳自在、且つ、展開自在に接続されており、ドア面材２０ｄは袖壁面材２１ｃに対し図８Ｄのように重合可能なように構成されている。
【００３１】
前記上部支持材２２は図９、図１０及び図１０Ａのように、収納箱１の壁面１５に対してヒンジ部５を介し、鉛直方法に折畳自在、且つ、展開自在に接続されている。
また、下部支持材２３は図９、図１０及び図１０Ｂのように床１４対してヒンジ部６を介し、鉛直方法に折畳自在、且つ、展開自在に接続されている。
【００３２】
前記折畳部材２を展開するには、まず、壁面１５側に折畳まれた下部支持材２３を、そのヒンジ部６の回転軸６０（図１０Ｂ参照）を中心にして、鉛直方法に床１４まで押下げ、各第１段面材２０ａ、第２段面材２０ｂ、扉面材２０ｃ、第３段面材２１ａ、第４段面材２１ｂ、袖壁面材２１ｃの下部を夫々下部支持材２３の上方向枠２３ａ（図１０参照）に沿って配置できるように準備する。
次に、壁面１５側に折畳まれた上部支持材２２をそのヒンジ部５の回転軸５０を中心にして、鉛直方法に上方に押上げ、各第１段面材２０ａ、第２段面材２０ｂ、扉面材２０ｃ、第３段面材２１ａ、第４段面材２１ｂ、袖壁面材２１ｃの上部を夫々上部支持材２２の下方向枠２２ａ（図１０参照）に沿って配置できるように準備する。
次に、蛇腹状に折畳まれた第１面材２０を扉面材２０ｃ、第２段面材２０ｂ及び第１段面材２０ａと順次展開させつつ、下部支持材２３の上方向枠２３ａに沿って配置する。
最後に、蛇腹状に折畳まれた第２面材２１を袖壁面材２１ｃ、第４段面材２１ｂ、第３段面材２１ａと順次展開させつつ、下部支持材２３の上方向枠２３ａ（図１０参照）に沿って配置する。
なお、前記折畳部材２の展開方法は、上記順序に限定されるものではない。
例えば、上部支持材２２、下部支持材２３をヒンジ部５、６を介さずに、独立させて別体に展開させてもよい。
より具体的には、前記折畳部材２の構成に上部支持材２２を加えずに、この上部支持材２２を別部材として、展開させた各面材２０ａ〜２０ｃ、面材２１ａ〜２１ｃの上部に配置してもよい。
さらに、下部支持材２３も前記折畳部材２の構成に加えずに、別部材として、予め床１４に配置し、各面材２０ａ〜２０ｃ、面材２１ａ〜２１ｃの下部を配置してもよい。
なお、図８Ｅ及び図８Ｆに図示したように、各第１段面材２０ａ、第２段面材２０ｂ、扉面材２０ｃ、第３段面材２１ａ、第４段面材２１ｂ、袖壁面材２１ｃの各上下端にはマグネット７が取付けられており、上下支持材２２、２３への圧着が可能となっている。
【００３３】
以上のような防災用収納箱１の作用効果は、次の通りである。
１．  収納箱１の倉庫空間１０が、その使用目的、用途に応じて自由に設定できる小部屋１１を備えた空間に可変可能であって、例えばひとつの小部屋をトイレスペースに、他の小部屋をフィッテングスペースに、他の小部屋をシャワースペース等に自由に設定することができる。
２．  各小部屋１１の独立性が高いので、非常時に際してもプライバシーの保護を図ることができる。
３．  倉庫空間内において小部屋１１は、折畳部材２により構成されるので、通常時には倉庫空間１０の機能を害することなく、非常時には迅速に小部屋１１を設置することができる。また、収納箱１の壁面１５を小部屋の一部に利用することで、折畳部材２の構成部材を少なくすることができる。
４．  展開することができる折畳部材２としたことで、非常時には迅速に小部屋１１を設置することができる。
５．  また、展開された折畳部材２は簡単に折畳むことができ、再度倉庫空間１０に可変させることができる。
【図面の簡単な説明】
【００３４】
【図１】実施形態に係る防災用収納箱の外観例図、
【図２】同水平断面図、
【図３】実施形態に係る防災用収納箱の水平断面図、
【図４】実施形態に係る防災用収納箱の水平断面図、
【図５】実施形態に係る防災用収納箱の水平断面図、
【図６】実施形態に係る防災用収納箱の水平断面図、
【図７】実施形態に係る防災用収納箱の水平断面図、
【図８】図１に示した防災用収納箱の水平断面図、
【図８Ａ】図８に示した８Ａ部の詳細図、
【図８Ｂ】図８に示した８Ｂ部の詳細図、
【図８Ｃ】図８に示した８Ｃ部の詳細図、
【図８Ｄ】図８に示した８Ｄ部の詳細図、
【図８Ｅ】図８に示した８Ｅ部の詳細図、
【図８Ｆ】図８に示した８Ｆ部の詳細図、
【図９】図１に示した防災用収納箱の要部縦断面図、
【図１０】図１に示した防災用収納箱の要部縦断面図、
【図１０Ａ】図１０に示した１０Ａ部の詳細図、
【図１０Ｂ】図１０に示した１０Ｂ部の詳細図、
【図１１】図８に示したＡ−Ａ矢視断面図である。
【符号の説明】
【００３５】
１  防災用収納箱
１０  倉庫空間
１１  小部屋
１２  外壁
１３  屋根
１４  床
１５  壁面
２  折畳部材
２０  第１の折畳面材
２１  第２の折畳面材
２２  上部支持材
２３  下部支持材
２０ａ  第１段面材
２０ｂ  第２段面材
２０ｃ  扉面材
２０ｄ  ドア面材
２１ａ  第３段面材
２１ｂ  第４段面材
２１ｃ  袖壁面材
３ａ  ヒンジ部
３ｂ  ヒンジ部
３ｃ  ヒンジ部
４ａ  ヒンジ部
４ｂ  ヒンジ部
４ｃ  ヒンジ部
５  ヒンジ部
６  ヒンジ部
７  マグネット
【図１】
2010037850.tif 000003
【図２】
2010037850.tif 000004
【図３】
2010037850.tif 000005
【図４】
2010037850.tif 000006
【図５】
2010037850.tif 000007
【図６】
2010037850.tif 000008
【図７】
2010037850.tif 000009
【図８】
2010037850.tif 000010
【図８Ａ】
2010037850.tif 000011
【図８Ｂ】
2010037850.tif 000012
【図８Ｃ】
2010037850.tif 000013
【図８Ｄ】
2010037850.tif 000014
【図８Ｅ】
2010037850.tif 000015
【図８Ｆ】
2010037850.tif 000016
【図９】
2010037850.tif 000017
【図１０】
2010037850.tif 000018
【図１０Ａ】
2010037850.tif 000019
【図１０Ｂ】
2010037850.tif 000020
【図１１】
2010037850.tif 000021